(57)【要約】【課題】フイルムを複数層に張り渡して断熱空間部を形成すると共に、ハウス内にエアーカーテンを組み合わせることにより、断熱効果を大幅に向上させて省エネルギー化を図り、夏期のみならず冬期においても作物を栽培することができる農業用ハウスを提供するものである。【解決手段】金属製構造材料で形成されたハウスフレームの屋根や壁に、所定の間隔で複数本の下段フイルム固定レール４Ａを取付け、ここに透明なフイルム５を張り渡して下段フイルム層８Ａを形成し、前記フイルム固定レール４Ａの上に、更に上段フイルム固定レール４Ｂを接合して、ここに透明なフイルム５を張り渡して上段側のフイルム層８Ｂを形成して、これら隣接する両フイルム層８Ａ、８Ｂの間に断熱空間部１１を形成すると共に、ハウス内の天井面と側壁面に沿って空気を封入したエアーカーテン１４を取付けたものである。【選択図】  図１
2010161966.tif 000002
【特許請求の範囲】
【請求項１】
金属製構造材料で形成されたハウスフレームの屋根や壁に、所定の間隔で複数本の下段フイルム固定レールを取付け、ここに透明なフイルムを張り渡してフイルム層を形成し、前記フイルム固定レールの上に、更に１段または２段の上段側のフイルム固定レールを接合して、ここに透明なフイルムを張り渡して上段側のフイルム層を形成して、これら隣接する両フイルム層の間に第１または第２の断熱空間部を形成すると共に、ハウス内の天井面と側壁面に沿って空気を封入したエアーカーテンを取付けたことを特徴とする農業用ハウス。
【請求項２】
エアーカーテンが、開閉自在に形成され、空気を供給するポンプに接続されていることを特徴とする請求項１記載の農業用ハウス。
【請求項３】
エアーカーテンが、帯状をなす２枚の透明なプラスチックフィルムを重ねて、その縁部を熱シールして袋状に形成し、一方の透明なプラスチックフィルムに空気吹込み口を取付けて、ここから空気を封入して中空長方形状の空気層を有するエアーマットを形成し、これを複数個面状に配置して形成したことを特徴とする請求項１記載の農業用ハウス。
【発明の詳細な説明】
【技術分野】
【０００１】
本発明は、屋根や壁の断熱とハウス内のエアーカーテンを組み合わせた農業用ハウスに関するものである。
【背景技術】
【０００２】
一般にハウス栽培を行なうハウスは鉄骨で家形のフレームを組み、ここにたる木状にフイルム固定具を適宜の間隔で取付け、この上を透明なプラスチックフイルムで覆って農業用ハウスを組立てていた。
【０００３】
しかしながら１層のフイルムで形成した農業用ハウスは、断熱性が低いため、夏期の冷房や冬期の暖房の効果が低い問題がある。例えばイチゴ栽培では、通常のイチゴが流通しない６〜１０月のイチゴ輸入量は約３５００トンで、同時期の国内のイチゴの出荷量は約６００トン程度と推定され、夏期における栽培は極めて少ない。この原因は夏期における高温にあり、冷房機を用いて農業用ハウス内を冷房するために冷房設備や電気料をかけても採算ラインに達する生産コストで生産できないことにある。
【０００４】
また寒冷地にある農業用ハウスは夜間にハウス内の温度が下がるため、夜間だけ暖房を行なっている所がある。この場合、暖房で暖められた湿度の高い空気が天井側に上昇し朝方になって外気が冷えると、天井側のフイルムに接する湿度の高い空気が冷やされて、フイルムの内面に水滴が凝縮して曇りガラスのようになり、水滴が蒸発するまで午前中は太陽光線が温室の内部に十分に照射しない問題があった。
【０００５】
このため農業用ハウスの屋根面や壁面を、フイルムの２層構造として、外壁フイルムと内壁フイルムとの間に断熱空間部を形成して、ハウス内の断熱効果を高めて冷房や暖房の省エネルギー化を図った２層構造の農業用ハウスが普及してきた（特許文献１）。
【０００６】
このように農業用ハウス内に暖房装置を設置し、屋根や壁をフイルムで２層構造とすることにより、冬期間の栽培を行なうことはできるが、気温の高い夏期には、断熱効果が僅かに向上するだけで、冷房機を設置してもハウス内の温度が高温になるため、イチゴやきのこ類の栽培、バラやランなど花卉栽培することが依然として行なわれていなかった。この理由は冷房装置を取付けても、２層フイルムで断熱空間部を形成した程度では、外部から熱が伝達して十分な冷房効果が得られず、大型の冷房機器を設置して冷房効果を高めても、エネルギーの価格が高騰している現状では採算が取れないからである。
【先行技術文献】
【特許文献】
【０００７】
【特許文献１】特許第２６２７７６１号公報
【発明の概要】
【発明が解決しようとする課題】
【０００８】
本発明は上記問題を改善し、フイルムを複数層に張り渡して断熱空間部を形成すると共に、ハウス内にエアーカーテンを組み合わせることにより、断熱効果を大幅に向上させて省エネルギー化を図り、夏期のみならず冬期においても作物を栽培することができる農業用ハウスを提供するものである。
【課題を解決するための手段】
【０００９】
本発明の請求項１記載の農業用ハウスは、金属製構造材料で形成されたハウスフレームの屋根や壁に、所定の間隔で複数本の下段フイルム固定レールを取付け、ここに透明なフイルムを張り渡してフイルム層を形成し、前記フイルム固定レールの上に、更に１段または２段の上段側のフイルム固定レールを接合して、ここに透明なフイルムを張り渡して上段側のフイルム層を形成して、これら隣接する両フイルム層の間に第１または第２の断熱空間部を形成すると共に、ハウス内の天井面と側壁面に沿って空気を封入したエアーカーテンを取付けたことを特徴とするものである。
【００１０】
本発明の請求項２記載の農業用ハウスは、請求項１において、エアーカーテンが、開閉自在に形成され、空気を供給するポンプに接続されていることを特徴とするものである。
【００１１】
本発明の請求項３記載の農業用ハウスは、請求項１において、エアーカーテンが、帯状をなす２枚の透明なプラスチックフィルムを重ねて、その縁部を熱シールして袋状に形成し、一方の透明なプラスチックフィルムに空気吹込み口を取付けて、ここから空気を封入して中空長方形状の空気層を有するエアーマットを形成し、これを複数個面状に配置して形成したことを特徴とするものである。
【発明の効果】
【００１２】
本発明に係る請求項１記載の農業用ハウスによれば、屋根面や壁面にフイルムを複数層に張り渡して断熱空間部を形成すると共に、ハウス内に空気を封入したエアーカーテンを設けることにより、気温の高い夏期でも断熱効果が優れており、小型の冷房機器を設置しても十分な冷房効果が得られ、また気温の低い冬期間においても、大幅に省エネルギー化を図ることができる。更に断熱空間部とエアーカーテンの組み合わせにより、フイルムの内面での結露の発生が少なくなり、太陽光線の入射が妨げられにくくなる。更に屋根面が１層フイルムの既設のハウスも容易に改造することができる。
【００１３】
従って断熱空間部とエアーカーテンの二重の空気断熱構造となっているので、気温の高い夏期でも断熱効果が優れており、小型の冷房機器を設置しても十分な冷房効果が得られ、イチゴやきのこ類、バラやランなどを採算の取れる経費で栽培することが可能となった。また気温の低い冬期間においても、断熱効果が優れているので、屋根面が１層フイルムの従来の農業用ハウスに比べて使用する暖房費用も大幅に低減でき省エネルギー化を図ることができる。
【００１４】
請求項２記載の農業用ハウスによれば、エアーカーテンが、開閉装置により開閉自在に形成されているので、太陽光線をハウス内に取入れる時には容易にカーテンを開閉することができる。またポンプからエアーカーテンに空気を供給して膨らますことにより空気層の厚さの調整も容易である。
【００１５】
請求項３記載の農業用ハウスによれば、エアーカーテンが、空気を封入して中空長方形状の空気層を有するエアーマットを面状に配置して形成されているので、断熱効果が高く省エネルギー化を図ることができると共に、入射する太陽光線を妨げることが少ない。また一部のエアーマットが破損して空気が抜けても、それぞれ空気を封入して独立した断熱空間が形成されているので、部分的に補修や交換を行なうことができる。
【発明を実施するための最良の形態】
【００１６】
以下本発明の実施の一形態を図１ないし図３を参照して詳細に説明する。先ず図１に示すように、１は農業用ハウスで、屋根フレーム２と壁フレーム３とで家形に形成されている。屋根フレーム２の上には棟側から軒側に向かって、図２に示すように所定の間隔で複数本の下段フイルム固定レール４Ａ…がたる木状に取付けられ、ビス６で固定されている。下段フイルム固定レール４Ａは、上部が開口した断面台形状にアルミニウムの押出し型材、またはスチールで形成されている。
【００１７】
この隣接する下段フイルム固定レール４Ａ、４Ａの上に、透明なプラスチックで形成されたフイルム５を面状に張り渡し、下段フイルム固定レール４Ａの開口部の内側に挿入して、波形のスプリング７で押えて固定し、下段フイルム層８Ａを形成する。フイルム５は表面が平滑で、透明性が高く、しかも耐久性に優れた、例えばフッ素系のプラスチックフィルムで形成されている。
【００１８】
次に下段フイルム層８Ａを形成した各下段フイルム固定レール４Ａの上に、上段フイルム固定レール４Ｂを重ねて図示しないビスで固定する。次に上段フイルム固定レール４Ｂの上に、透明なプラスチックで形成されたフイルム５を面状に張り渡し、上段フイルム固定レール４Ｂの開口部の内側に挿入して、波形のスプリング７で押えて固定し上段フイルム層８Ｂを形成する。この後、開口部にフイルム押え９を被せてビス６で固定する。
【００１９】
この結果、下段フイルム層８Ａと上段フイルム層８Ｂとの間に断熱空間部１１が形成される。なお壁フレーム３にも同様に下段フイルム固定レール４Ａと上段フイルム固定レール４Ｂ、およびフイルム５を取付けて壁側の断熱空間部１１が形成されている。
【００２０】
また農業用ハウス１内の天井側と側面には、図１に示すようにエアーカーテン１４が設けられている。このエアーカーテン１４は袋状に形成され、図示しない送風機に接続されて、内部に空気を供給することにより膨らむようになっている。またこのエアーカーテン１４の空気を抜いた状態で、図３に示すように開閉装置１５によりエアーカーテン１４を巻き取るか、横方向や上方に移動させて、開放するようになっている。
【００２１】
上記構成の農業用ハウス１は、図１および図２に示すように透明な下段フイルム層８Ａと中段フイルム層８Ｂの２層のフイルム８で、断熱空間部１１が形成されていると共に、農業用ハウス１内の天井側と側面には空気を供給して膨らませたエアーカーテン１４とで、２重の断熱空間構造となっているので、従来の１層のフイルムで形成された農業用ハウスに比べて７０％程度燃料を節約することができ、極めて断熱効果が優れている。
【００２２】
また夜間に外気が冷えると、断熱空間部１１の外気と接する上段フイルム層８Ｂの内側の空気が冷やされるが、空気層で形成された断熱空間部１１の断熱効果により、外気との温度差が少なく上段フイルム層８Ｂの内面での結露を防止することができ、更にエアーカーテン１４で断熱されているので、この上での結露も防止することができる。
【００２３】
また夏期でもハウス内の温度が４℃程度低下し、同じ冷房機でも日中、外気温より低く保持することができ、使用する電力量も少なく、イチゴやきのこ類、バラやランなどを採算ラインで生産することが可能となった。
【００２４】
従って断熱空間部１１とエアーカーテン１４の二重の空気断熱構造となっているので、気温の高い夏期でも断熱効果が優れており、小型の冷房機器を設置しても十分な冷房効果が得られ、イチゴや、花卉を採算の取れる経費で栽培することが可能である。また気温の低い冬期間においても、断熱効果が優れているので、屋根面が１層フイルムの従来の農業用ハウスに比べて使用する暖房費用も大幅に低減でき省エネルギー化を図ることができる。
【００２５】
図４は本発明の他の実施の形態を示すもので、図２に示す上段フイルム層８Ｂを中段フイルム固定レール４Ｂとして、更にこの上に上段フイルム固定レール４Ｃを重ねて図示しないビスで固定する。次に隣接する上段フイルム固定レール４Ｃ、４Ｃの上に、フイルム８を面状に張り渡し、上段フイルム固定レール４Ｃの開口部の内側に押し込んで、波形のスプリング７で押えて固定し、上段フイルム層８Ｃを形成し、開口部の上からフイルム押えカバー９をビス６で固定する。
【００２６】
この結果、下段フイルム層８Ａと中段フイルム層８Ｂとの間に第１の断熱空間部１１Ａが形成され、この上の中段フイルム層８Ｂと上段フイルム層８Ｃの間に第２の断熱空間部１１Ｂが形成された二重断熱空間部を形成したものである。
【００２７】
図５は本発明の他の実施の形態を示すもので、帯状をなす２枚の透明なプラスチックフィルム１７を重ねて、その縁部を熱シールして袋状に形成し、一方の透明なプラスチックフィルム１７に空気吹込み口１８を取付けて、ここから空気を封入して中空長方形状の空気層を有するエアーマット１３を形成する。
【００２８】
次に図６に示すように下段フイルム層８Ａと上段フイルム層８Ｂで断熱空間部１１を形成したハウス内の天井面と側壁面に沿って、ワイヤ１９を蛇行して取付け、更にこのワイヤと間隔をおいて別のワイヤ１９を蛇行して取付け、これら両ワイヤ間に、袋状のエアーマット１３を挟持して、複数枚面状に取付けてエアーカーテン１４を形成したものである。
【００２９】
上記構造の農業用ハウスによれば、下段フイルム層８Ａと上段フイルム層８Ｂで断熱空間部１１を形成したハウス内の、天井面と側壁面に沿って、複数の袋状をなすエアーマット１３を、面状に取付けてエアーカーテン１４を形成したので、断熱効果が高く省エネルギー化を図ることができると共に、入射する太陽光線を妨げることが少ない。
【００３０】
しかもワイヤ１９を蛇行して取付け、更にこれと間隔をおいてワイヤ１９を蛇行して取付け、これら両ワイヤ間に、独立した中空長方形状の空気層が形成された複数のエアーマット１３を、順次挟持して面状に取付けてエアーカーテン１４を形成するので施工が容易でコストが安い。また一部のエアーマット１３が破損して空気が抜けても、それぞれ空気を封入して独立した断熱空間が形成されているので、部分的に補修や交換を行なうことができる。
【００３１】
なお上記説明では、新設の場合について説明したが、既設の１層ハウスの上にフイルム固定レールを取付け、ここにフイルム層を追加して２層または３層構造としても良い。またエアーマット１３の取付け方法はワイヤ１９を用いずに他の方法で面状に取付けた構造でも良い。
【図面の簡単な説明】
【００３２】
【図１】本発明の実施の一形態によるハウスの屋根と壁面に断熱空間部を形成し、ハウス内にエアーカーテンを設けた農業用ハウスを示す概略構成図である。
【図２】図１の農業用ハウスの屋根面の断熱構造を拡大して示す断面図である。
【図３】図１のエアーカーテンを巻き取って開放した状態の農業用ハウスを示す概略構成図である。
【図４】本発明の他の実施の形態による屋根面の３層断熱構造を拡大して示す断面図である。
【図５】本発明の他の実施の形態によるエアーマットを示す斜視図である。
【図６】本発明の他の実施の形態による図５のエアーマットでエアーカーテンを形成した農業用ハウスの概略構成図である。
【符号の説明】
【００３３】
１    農業用ハウス        
２    屋根フレーム    
３    壁フレーム        
４Ａ〜４Ｃ  フイルム固定レール  
５    フイルム                                                          ６    ビス                    
７    スプリング                        
８Ａ〜８Ｃ  フイルム層        
９    フイルム押え                  
１１  断熱空間部  
１３  エアーマット    
１４  エアーカーテン            
１５  開閉装置                      
１７  プラスチックフィルム          
１８  空気吹込み口  
１９  ワイヤ      
【図１】
2010161966.tif 000003
【図２】
2010161966.tif 000004
【図３】
2010161966.tif 000005
【図４】
2010161966.tif 000006
【図５】
2010161966.tif 000007
【図６】
2010161966.tif 000008